(57)【要約】【課題】  たとえば食品輸送用コンテナなどとして好適に用いられ、臭気を遮断することが可能であり、しかも環境保全に役立ち、軽量で強固な組立式コンテナを提供すること。【解決手段】  パレット６の上に着脱自在に組み立てられる側壁パネル１６，１８が、木質繊維板３０と、木質繊維板３０の少なくとも片面に接着してある金属箔３４とを有するコンテナである。【選択図】        図２
2005067681.tif 000002
【特許請求の範囲】
【請求項１】
パレットの上に着脱自在に組み立てられる側壁パネルが、
木質繊維板と、
前記木質繊維板の少なくとも片面に接着してある金属箔とを有することを特徴とする組立式コンテナ。
【請求項２】
前記木質繊維板が、中質繊維板である請求項１に記載の組立式コンテナ。
【請求項３】
前記金属箔の両面には、ポリエチレンテレフタレートフィルムが接着してあり、前記ポリエチレンテレフタレートフィルムが前記木質繊維板に対して接着してある請求項１または２に記載の組立式コンテナ。
【請求項４】
前記金属箔がアルミニウム箔である請求項１〜３のいずれかに記載の組立式コンテナ。
【発明の詳細な説明】
【技術分野】
【０００１】
本発明は、組立式コンテナに係り、さらに詳しくは、たとえば食品輸送用コンテナなどとして好適に用いられ、臭気を遮断することが可能であり、しかも環境保全に役立ち、軽量で強固な組立式コンテナに関する。
【背景技術】
【０００２】
食品などを運搬するための組立式コンテナとしては、たとえば下記の特許文献１および２に示すものが知られている。これらの特許文献に示す組立式コンテナでは、食品などからの臭いを脱臭あるいは消臭するために、側壁パネルに対して、二酸化チタンなどの光触媒成分を含む塗布膜を形成している。
【０００３】
しかしながら、光触媒成分を含む塗料を、側壁パネルに塗布し、乾燥して固定することは、きわめて困難である。特に、側壁パネルが木材パネルである場合には、その表面に塗布膜を形成することはきわめて困難である。なお、側壁パネルを合成樹脂パネルとし、その合成樹脂内に光触媒成分を含ませることも考えられるが、合成樹脂パネルでは、機械的強度が不十分となる場合が多い。
【０００４】
また、組立式コンテナの側壁パネルを木材パネルで構成する場合には、そのコンテナを輸出入する国の法律によっては、木材パネルを燻蒸処理する必要があり、その作業が繁雑になる。
さらに、コンテナの側壁パネルを天然木材で作製する場合には、環境保全の観点から好ましくない。
【０００５】
一方、下記の特許文献３および４には、合板の表面にポリエチレン樹脂やＡＢＳ製シートを被覆してある側壁用パネルを備えてなる組立式コンテナが提案される。しかし、これらの組立式コンテナは耐候性や廃棄処理上の問題が改善されているものの、食品等を内部に収納して輸送や保管する場合には、臭気の遮断性能について一層の改良が求められていた。
【特許文献１】特開２００１−２０６３６５号公報
【特許文献２】特開２００２−６８１８４号公報。
【特許文献３】特開２００１−１２２２５６号公報
【特許文献４】特開２００１−１２２２５７号公報。
【発明の開示】
【発明が解決しようとする課題】
【０００６】
本発明は、このような実状に鑑みてなされ、たとえば食品輸送用コンテナなどとして好適に用いられ、臭気を遮断することが可能であり、しかも環境保全に役立ち、軽量で強固な組立式コンテナを提供することを目的とする。
【課題を解決するための手段】
【０００７】
上記目的を達成するために、本発明に係る組立式コンテナは、
パレットの上に着脱自在に組み立てられる側壁パネルが、
木質繊維板と、
前記木質繊維板の少なくとも片面に接着してある金属箔とを有することを特徴とする。
【０００８】
木質繊維板とは、木質繊維に熱硬化性樹脂などの接着剤を添加して圧力をかけて成形したものである。木質繊維板の中でも、中質繊維板（ＭＤＦ）は、表面性状や切削加工性が良好であることから、ＭＤＦが好ましい。木質繊維板は、一枚物でも、多層に接着積層されたものでも良い。
【０００９】
好ましくは、前記金属箔の両面には、ポリエチレンテレフタレート（ＰＥＴ）フィルムが接着してあり、前記ポリエチレンテレフタレートフィルムが前記木質繊維板に対して接着してある。
【００１０】
好ましくは、前記金属箔がアルミニウム箔である。
【００１１】
本発明では、側壁パネルが、ＭＤＦなどの木質繊維板で主として構成してある。木質繊維板は、加工木材であることから、通常の木製パネルとは異なり、燻蒸処理や蒸熱処理などが不要である。したがって、木製パネルに対して燻蒸処理や蒸熱処理などを必要とする法律を持つ国へのコンテナの輸出入が容易になる。
【００１２】
また、木質繊維板は、強度やサイズの調整が可能であり、しかも、軽量で強いことから、コンテナの側壁パネルとして用いて好適である。さらに、木質繊維板は、破材や廃却材を再利用して作られることから、環境保全に役立つ。
【００１３】
さらに、本発明では、木質繊維板の少なくとも片面に、アルミニウム箔などの金属箔が接着してあることから、コンテナの内部から外部へ向かう臭気、あるいは外部から内部に向かう臭気を有効に遮断することができる。したがって、コンテナの内部に、食品などを保存しても、食品などからの臭気が外部に漏洩しないと共に、外部の臭気が食品などに移ることもない。
【発明の効果】
【００１４】
本発明に係る組立式コンテナによれば、たとえば食品輸送用コンテナなどとして好適に用いられ、臭気を遮断することが可能であり、しかも環境保全に役立ち、軽量で強固な組立式コンテナを実現することができる。
【発明を実施するための最良の形態】
【００１５】
以下、本発明を、図面に示す実施形態に基づき説明する。
図１は本発明の一実施形態に係る組立式コンテナの全体分解斜視図、
図２は図１に示す側壁パネルの要部断面図である。
【００１６】
図１に示すように、本発明の実施形態に係るコンテナ１０は、たとえば食品の輸送や保管などに使用されるものであり、フォークリフトなどのリフト手段の爪部が挿入可能な凹所１２が形成されたパレット１４を有する。パレット１４の上面には底板６が載置される。底板６の上部に収容空間２０を形成するように、相互に向き合う一対の自立側板（側壁パネル）１６と、これらの自立側板１６に連結するように配置され相互に向き合う一対のはめ込み側板（側壁パネル）１８とが、パレット１４の上に、解体自在に組み立ててある。これらの側板１６および１８の上には、蓋２２が着脱自在に装着され、収容空間２０の内部を開閉可能になっている。
【００１７】
本実施形態では、コンテナ１０における側壁パネル１６および１８は、パレット１４に対して解体自在（折り畳み自在も含む）に組み立てられる。側壁パネル１６および１８をパレット１４に対して解体自在に組み立てるための機構は、本発明では特に限定されず、たとえば特開２００２−２５５１７４号公報、あるいは特開平１１−１１４７５号公報に示す様な手段が採用され得る。
【００１８】
図２に示すように、本実施形態に係る側壁パネル１６，１８は、木質繊維板３０を有する。この木質繊維板３０は、ＭＤＦで構成してある。この木質繊維板３０の少なくとも片面、好ましくは両面には、それぞれシート接着剤３２を介してラミネートシート４０が接着してある。シート接着剤３２は、たとえばウレタン系接着剤で構成してある。
【００１９】
ラミネートシート４０は、それぞれアルミニウム箔で構成してある金属箔３４を有する。金属箔３４の少なくとも片面、好ましくは両面には、ラミネート用接着剤３８を介して、合成樹脂フィルム３６が接着してある。本実施形態では、合成樹脂フィルム３６は、ＰＥＴフィルムで構成してある。ラミネート用接着剤３８は、たとえばポリエステル系接着剤で構成してある。
【００２０】
木質繊維板３０の厚みは、特に限定されないが、好ましくは１〜５０mm、さらに好ましくは５〜２０mmである。シート接着剤３２の厚みは、特に限定されないが、好ましくは５〜２００μｍ、さらに好ましくは１０〜１００μｍである。
【００２１】
金属箔３４の厚みは、３〜１００μｍ、好ましくは３〜２０μｍである。合成樹脂フィルム３６の厚みは、特に限定されないが、好ましくは５〜３００μｍ、さらに好ましくは１０〜１００μｍである。ラミネート用接着剤３８の厚みは、特に限定されないが、好ましくは０．５〜１０μｍ、さらに好ましくは１〜５μｍである。
【００２２】
本実施形態において、木質繊維板３０の片面のみにラミネートシート４０が接着される場合には、ラミネートシート４０側が、図１に示すコンテナの内側を向くように、側壁パネル１６，１８を配置することが好ましい。臭気の遮断の観点からは、少なくとも、木質繊維板３０の内側にラミネートシート４０を接着することが好ましい。
【００２３】
本実施形態に係るコンテナ１０によれば、側壁パネル１６，１８が、ＭＤＦなどの木質繊維板３０で主として構成してある。木質繊維板３０は、加工木材であることから、通常の木製パネルとは異なり、燻蒸処理や蒸熱処理などが不要である。したがって、木製パネルに対して燻蒸処理や蒸熱処理などを必要とする法律を持つ国へのコンテナ１０の輸出入が容易になる。
【００２４】
また、木質繊維板３０は、強度やサイズの調整が可能であり、しかも、軽量で強いことから、コンテナ１０の側壁パネル１６，１８として用いて好適である。さらに、木質繊維板３０は、破材や廃却材を再利用して作られることから、環境保全に役立つ。
【００２５】
さらに、本実施形態では、木質繊維板３０の少なくとも片面に、アルミニウム箔などの金属箔３４を有するラミネートシート４０が接着してあることから、コンテナ１０の内部から外部へ向かう臭気、あるいは外部から内部に向かう臭気を有効に遮断することができる。したがって、コンテナ１０の内部に、食品などを保存しても、食品などからの臭気が外部に漏洩しないと共に、外部の臭気が食品などに移ることもない。
【００２６】
なお、本発明は、上述した実施形態に限定されるものではなく、本発明の範囲内で種々に改変することができる。
【００２７】
たとえば、上述した実施形態では、側壁パネル１６，１８のみを、図２に示すような複合パネルで構成したが、本発明では、コンテナ１０における蓋２２および底板６も、側壁パネル１６，１８と同様な断面構造の複合パネルとしても良い。
【００２８】
また、上述した実施形態のコンテナは、主として食品輸送用のコンテナとして用いられるが、本発明のコンテナは、食品輸送用コンテナに限定されず、たとえば食品容器、精密部品、光学部品、薬品、各種工業原料、各種工業製品などを輸送するためのコンテナとしても用いることができる。
【図面の簡単な説明】
【００２９】
【図１】図１は本発明の一実施形態に係る組立式コンテナの全体分解斜視図である。
【図２】図２は図１に示す側壁パネルの要部断面図である。
【符号の説明】
【００３０】
６…  底板
１０…  コンテナ
１４…  パレット
１６…  自立側板（側壁パネル）
１８…  はめ込み側板（側壁パネル）
２０…  収容空間
２２…  蓋
３０…  木質繊維板
３２…  シート接着剤
３４…  金属箔
３６…  合成樹脂フィルム（ＰＥＴ）
３８…  接着剤
４０…  ラミネートシート
【図１】
2005067681.tif 000003
【図２】
2005067681.tif 000004